(57)【特許請求の範囲】
【請求項１】
表面中央部に円形の開口を有する扁平な有底円筒状のケーシングと、
ケーシング内の底部側に収納される扁平形状の電池と、
ケーシング内の電池の表面側に配設収納され、ＬＥＤ、このＬＥＤの点滅状態を制御する制御部及びこの制御部によるＬＥＤの点滅状態を切り替える押圧スイッチを表面側に搭載する円板状の回路基板と、
ＬＥＤを覆う透明なドーム部及びそのドーム部の底部開口から外側に延出する円環状のフランジ部を有し、フランジ部がケーシング内の回路基板の表面側に配設され、ドーム部がケーシングの開口から突出するよう収納されるＬＥＤカバーと、
ドーム部の突出部分を除いたケーシングの外面を覆う防水部及びその防水部の底部から延出する一対の取付片を有するエラストマー材料製の外套カバーとを備え、
上記押圧スイッチが、ＬＥＤカバーのフランジ部に当接するよう回路基板の外周部に配設されている小型ライト。
【請求項２】
複数の上記押圧スイッチが回路基板の外周部に略等角度間隔で配設されている請求項１に記載の小型ライト。
【請求項３】
上記押圧スイッチが、回路基板上に形成される中央接点、この中央接点から離間して形成される周辺接点、及びこの周辺接点上に外縁部が乗るよう配設される弾性金属板製のドーム状クリックバネとを有する請求項１又は請求項２に記載の小型ライト。
【請求項４】
上記押圧スイッチのクリックバネの中央部に凹部を有し、ＬＥＤカバーのフランジ部裏面のうちこの凹部に合致する位置に凸部を有している請求項３に記載の小型ライト。
【請求項５】
上記電池として、ボタン型電池又はコイン型電池が用いられている請求項１から請求項４のいずれか１項に記載の小型ライト。
【請求項６】
上記外套カバーを形成するエラストマー材料として、シリコーンゴムが用いられている請求項１から請求項５のいずれか１項に記載の小型ライト。
【請求項７】
上記外套カバーの防水部の底部が他の部分より厚く形成されている請求項１から請求項６のいずれか１項に記載の小型ライト。
【発明の詳細な説明】
【技術分野】
【０００１】
本発明は、照明装置である小型ライトに関し、詳細には携帯性、装着性、スイッチ操作性及び防水性に優れる小型ライトに関するものである。
【背景技術】
【０００２】
内蔵電池により発光する携帯用ライトは、今日では、懐中電灯以外にも、自転車等のヘッドランプとして使用されたり、トレッキング、登山、ダイビングなどのレジャーにおける照明及び相互位置確認用に使用されている。そのため、携帯用ライトは、携帯性、装着性、スイッチ操作性及び防水性を有することが要求されている。
【０００３】
従来の一般的な携帯用ライトは、豆電球が光源として使用され、豆電球の発光効率の低さ、消費電力の高さのため比較的大きな乾電池が電源として使用されている。そのため、かかる豆電球を使用した上記従来の携帯用ライトは、外形寸法が非常に大きくなり、持ち運びが面倒なだけでなく、所定の位置に取り付ける場合においても困難な場合がある。
【０００４】
今日では、非常に小型で高輝度のＬＥＤ（発光ダイオード；Light Emitting Diode）が開発され、この高輝度のＬＥＤを光源として用い、発光部や電池収納部の小型化により、全体のコンパクト化及び軽量化を図る携帯用ライトが開発されている（例えば特許文献１等参照）。
【０００５】
かかるＬＥＤを用いた携帯用ライトは、一般的には、（ａ）透明な前端部及び後部が螺合してなる円筒状のケーシングと、（ｂ）ケーシング内の前端部付近に配設されるＬＥＤと、（ｃ）ケーシング内に収納される電池と、（ｄ）ＬＥＤ及び電池を電気的に接続可能に構成する電気的回路と、（ｅ）ケーシング側面に配設され、電気的回路を断続するためのスイッチとを備えている。このスイッチは、通常、ケーシング内外に貫通するスライド式スイッチ、押しボタン式スイッチ等が採用されている。
【０００６】
しかし、上記ＬＥＤを用いた携帯用ライトも、電池として乾電池、アルカリ蓄電池、ニッケル水素蓄電池等が用いられているため、電池収納部の占める容積を左程小さくすることはできず、コンパクト化にも限度がある。また、上記ＬＥＤを用いた携帯用ライトは、自転車、身体、杖等に装着するためには、装着対象に応じた取付装置やストラップ、クリップ等が必要であり（例えば特許文献２等参照）、装着作業が面倒であり、装着箇所にも制限がある。さらに、上記ＬＥＤを用いた携帯用ライトは、点灯及び消灯の切り替えに、ケーシングの側面のスイッチをスライドさせたり、押圧したりする操作が必要があり、その際に筒状のケーシングを手で支える動作等が必要であるため、手間取るおそれがあり、特に自転車等に取り付けた状態ではスイッチ操作性に問題がある。また、上記ＬＥＤを用いた携帯用ライトは、ケーシングの繋ぎ目やスイッチ部分が防水性を低下させる要因となるため、防水性の向上には構造的に一定の限界があり、特に自転車やダイビング等の水分な付着しやすい環境で使用する場合に防水性の問題は顕著である。
【特許文献１】特開２００６−２６１０７６号公報
【特許文献２】特開２００７−１０６３４４号公報
【発明の開示】
【発明が解決しようとする課題】
【０００７】
本発明はこれらの不都合に鑑みてなされたものであり、コンパクト化、構造の簡易化、軽量化及び外面のシール化が促進され、ひいては携帯性、装着性、スイッチ操作性及び防水性に優れる小型ライトの提供を目的とするものである。
【課題を解決するための手段】
【０００８】
上記課題を解決するためになされた発明は、
表面中央部に円形の開口を有する扁平な有底円筒状のケーシングと、
ケーシング内の底部側に収納される扁平形状の電池と、
ケーシング内の電池の表面側に配設収納され、ＬＥＤ、このＬＥＤの点滅状態を制御する制御部及びこの制御部によるＬＥＤの点滅状態を切り替える押圧スイッチを表面側に搭載する円板状の回路基板と、
ＬＥＤを覆う透明なドーム部及びそのドーム部の底部開口から外側に延出する円環状のフランジ部を有し、フランジ部がケーシング内の回路基板の表面側に配設され、ドーム部がケーシングの開口から突出するよう収納されるＬＥＤカバーと、
ドーム部の突出部分を除いたケーシングの外面を覆う防水部及びその防水部の底部から延出する一対の取付片を有するエラストマー材料製の外套カバーとを備え、
上記押圧スイッチが、ＬＥＤカバーのフランジ部に当接するよう回路基板の外周部に配設されている小型ライトである。
【０００９】
当該小型ライトは、押圧スイッチがＬＥＤカバーのフランジ部に当接するよう回路基板の外周部に搭載されていることから、正面に突出しているＬＥＤカバーをケーシングの軸方向に押圧することで点灯・消灯等の点滅状態の切り替えができ、非常に高いスイッチ操作性を有している。特に、自転車等の二輪車のハンドルや杖等に照明用として取り付けている場合、従来の携帯用ライトのようにボディの側面にあるスイッチをスライド等させる必要はなく、正面のＬＥＤカバーを手でた叩くことで点滅状態の切り替えが可能になり、スイッチの操作が非常に簡易かつ確実になる。
【００１０】
また、当該小型ライトは、上述のようにスイッチをＬＥＤカバーで代用し、従来の携帯用ライトのような個別のスイッチを省略したことや、扁平形状の電池を採用したこと、及びＬＥＤをケーシングから突出させたＬＥＤカバーに収納するよう構成したことから、本体部分が非常にコンパクトになり、全体として小型軽量化及び携帯性が格段に向上する。
【００１１】
さらに、当該小型ライトは、エラストマー材料製の外套カバーの防水部によってドーム部の突出部分を除いたケーシングの外面を覆うことから、従来の携帯用ライトのようにケーシングの繋ぎ目やスイッチ部分に対するＯリング等の個別の防水措置を採用する必要がなく、防水性を格段に高めることができる。
【００１２】
また、当該小型ライトは、エラストマー材料製の外套カバーが底部から延出する一対の取付片を有することから、この軟質、柔軟性かつ伸縮性を有する一対の取付片によって二輪車のハンドル、杖、指・腕等の身体などの径及び形状の異なる種々の箇所に容易かつ確実に装着することができる。
【００１３】
複数の上記押圧スイッチを回路基板の外周部に略等角度間隔に配設するとよい。このように複数の押圧スイッチを回路基板の外周部に略等角度間隔に配設することで、正面のＬＥＤカバーをケーシング方向に押圧する際に、少し斜めに押圧してもスイッチングが可能になり、スイッチ操作性がさらに促進される。
【００１４】
上記押圧スイッチとしては、回路基板上に形成される中央接点、この中央接点から離間して形成される周辺接点及びこの周辺接点上に外縁部が乗るよう配設される弾性金属板製のドーム状クリックバネとを有するとよい。このように押圧スイッチを中央接点、周辺接点及び反転するクリックバネから形成することで、ＬＥＤカバーを軽くタッチすることでスイッチングが可能になり、かつスイッチングにクリック感覚が付与され、その結果、スイッチ操作性がさらに促進される。
【００１５】
上記押圧スイッチのクリックバネの中央部に凹部を有し、ＬＥＤカバーのフランジ部裏面のうちこの凹部に合致する位置に凸部を有するとよい。このようにクリックバネの中央部に凹部を有し、ＬＥＤカバーのフランジ部裏面に凸部を有し、この凹部と凸部が合致することから、ＬＥＤカバーの押圧によるスイッチングがさらに簡易かつ確実になり、加えてクリックバネの裏面側に形成される凸部によって中央接点との良好な接触状態が確保される結果、スイッチング操作性がさらに促進される。
【００１６】
上記電池としては、ボタン型電池又はコイン型電池が好ましい。このように極めて扁平なボタン型電池又はコイン型電池を用いることで、電池を収容するケーシングひいては当該小型ライトがさらにコンパクト化され、当該小型ライトの小型軽量化、携帯性、操作性等がされに促進される。
【００１７】
上記外套カバーを形成するエラストマー材料としては、シリコーンゴム（シリコーン樹脂を含む）が好ましい。かかるシリコーンゴムはシーリング性能、耐熱性、耐候性等が良好であることから、このように外套カバーの形成材料としてシリコーンゴムを用いることで、当該小型ライトの防水性が向上し、加えて耐候性、耐熱性等も促進される。
【００１８】
上記外套カバーの防水部の底部を他の部分より厚く形成するとよい。このように外套カバーの防水部の底部を他の部分より厚く形成することで、当該小型ライトをハンドル等に取り付ける際に防水部の底部から延出する一対の取付片を引っ張っても、防水部が湾曲して防水性が低下することを防止することができる。
【発明の効果】
【００１９】
以上説明したように、本発明の小型ライトは、コンパクト化、構造の簡易化、軽量化及び外面のシール化が促進され、ひいては携帯性、装着性、スイッチ操作性及び防水性に優れている。
【発明を実施するための最良の形態】
【００２０】
以下、適宜図面を参照しつつ本発明の実施の形態を詳説する。図１は本発明の一実施形態に係る小型ライトを示す分解斜視図、図２は図１の小型ライトの組み立てた状態を示す斜視図、図３は図１の小型ライトを円柱に取り付けた状態を示す斜視図、図４は図１の小型ライトの回路基板を示す平面図、図５は図１の小型ライトの回路基板及びＬＥＤカバー部分の中央縦断面図である。
【００２１】
図１の小型ライトは、ケーシング１、電池２、回路基板３、ＬＥＤカバー４及び外套カバー５を主に備えている。
【００２２】
ケーシング１は、表面中央部に円形の開口６を有する扁平な有底円筒状のものである。このケーシング１は、ケーシング本体１ａとケーシング蓋部１ｂとを有している。ケーシング本体１ａは、扁平な円筒体であり、下端が開口し、中央部に開口６を有する表壁７を有している。つまり、ケーシング本体１ａは、表面側にフランジ状かつ円環状の表壁７を有する円筒体である。一方、ケーシング蓋部１ｂは、ケーシング本体１ａと略同径の極扁平な有底円筒体である。このケーシング本体１ａの側壁外面の下端近傍には周方向の溝部８が形成され、ケーシング蓋部１ｂの側壁内面の上端には周方向の凸条部９が形成されており、この溝部８に凸条部９が嵌合するよう構成されている。この溝部８及び凸条部９からなる係合構造によりケーシング本体１ａとケーシング蓋部１ｂとの着脱が可能になる。また、ケーシング蓋部１ｂの側壁の一部に、ケーシング本体１ａに係合したケーシング蓋部１ｂの取り外しを容易にするための切り欠き部１０が形成されている。
【００２３】
ケーシング１の形成材料としては、特に限定されるものではなく、例えば合成樹脂、金属材料、木材等が用いられるが、軽量化の観点からは合成樹脂が好ましい。このケーシング１に用いられる合成樹脂としては、例えば（ａ）フェノール樹脂、メラミン樹脂、不飽和ポリエステル樹脂、エポキシ樹脂、ポリウレタン樹脂、シリコーン樹脂等の熱硬化性樹脂、（ｂ）ポリエチレン、ポリプロピレン、ポリスチレン、ポリ塩化ビニル、ポリ酢酸ビニル、ＡＢＳ樹脂等の汎用熱可塑性樹脂、（ｃ）ナイロン（ポリアミド）、ポリアセタール、ポリカーボネート、ポリエチレンテレフタレート、ポリブチレンテレフタレート等のエンジニアリングプラスチック、（ｄ）ポリフェニレンオキシド、ポリアリレート、ポリスルホン、ポリフェニレンスルフィド、ポリアミドイミド、ポリイミド、フッ素樹脂等の特殊エンジニアリングプラスチックなどが挙げられる。中でも、ケーシング本体１ａの形成材料としては、耐候性が高いポリ塩化ビニル、強度及び耐久性に優れるＡＢＳ樹脂やエンジニアリングプラスチックが好ましい。ケーシング蓋部１ｂの形成材料としては、比較的柔軟性を有し、着脱が容易になるポリプロピレンが好ましい。なお、ケーシング１に用いられる金属材料としては、例えばアルミニウム合金、銅合金、鉄、鋼、ステンレス鋼等が挙げられる。
【００２４】
電池２は、扁平形状のものが使用される。この電池２としては、厚みが小さいボタン型電池又はコイン型電池が好ましく、ケーシング１ひいては当該小型ライトの小型軽量化に寄与する。このように電池２として、扁平形状のボタン型電池又はコイン型電池を使用しても、光源として使用されるＬＥＤ１２が消費電力が小さいため、当該小型ライトを十分に作動させることができる。また電池２は、ケーシング本体１ａからケーシング蓋部１ｂを取り外すことで交換可能になっている。
【００２５】
当該小型ライトにおいては、２個の電池２が重ねて直列に用いられており、プラス側を底面に向けてケーシング１の底部側に収納されている。この底部側の電池２とケーシング１（ケーシング蓋部１ｂ）の底面との間には、電池２を回路基板３裏面の電池接点に押圧する目的及び電池２のケーシング１への衝撃を緩和する目的のために円板状の弾性体１１が配設されている。この弾性体１１の形成材料としては、弾性を有するものであれば特に限定されず、例えば発砲ポリウレタン等が採用される。
【００２６】
回路基板３は、円板状のものであり、ケーシング１内の電池２（表面側の電池２）の直上に配設収納されている。この回路基板３の表面側には、図４に示すように、電池２に電通する電気回路（図示しない）、ＬＥＤ１２、制御部１３、押圧スイッチ１４などが主に搭載されている。また、回路基板３上には、その他に必要に応じてコンデンサー、抵抗等が組み込まれる。なお、回路基板３の外縁部には、略等角度間隔で半円状の凹部２０が形成されており、ケーシング１（ケーシング本体１ａ）の内面に略等角度間隔で形成される凸部（図示しない）と嵌合し、ケーシング１内で回路基板３が回転しないよう構成されている。
【００２７】
ＬＥＤ１２は、回路基板３の中央部に突設されており、電気回路に電通されている。このＬＥＤ１２は、回路基板３上の中央部に突設される円筒状のＬＥＤ支架１５に下方の周囲が包囲され、保護及び支持されている。このＬＥＤ１２の種類は、特に限定されるものではないが、高輝度の白色光を出射するものが好ましく、その他の赤色、青色等の光線を出射するものも適宜採用される。
【００２８】
制御部１３は、ＬＥＤ１２の点滅状態（例えば、点灯、消灯、所定の点滅パターン等）を制御するものであり、電気回路に電通されている。制御部１３の具体的構造としては、上記ＬＥＤ１２の点滅状態を制御できれば特に限定されず、例えばＩＣ等からなり、防水等のために表面がゴム等で被覆されている。
【００２９】
押圧スイッチ１４は、押圧によって制御部１３によるＬＥＤ１２の点滅状態を切り替えるものであり、電気回路に電通されている。当該小型ライトは、２個の押圧スイッチ１４を回路基板３の外周部にかつ略等角度間隔に（つまり、１８０°対偶する位置）配設されている。このよう、２個の押圧スイッチ１４を回路基板３の外周部に略等角度間隔に配設することで、後述するように点滅状態の切り替えのためにＬＥＤカバー４をケーシング１の軸方向に押圧する際に、少し斜めに押圧してもスイッチングが可能になり、スイッチ操作性がさらに促進される。なお、複数の押圧スイッチ１４を設ける場合、制御部１３による点滅状態の切り替えは、いずれかの押圧スイッチ１４による最初の信号で切り替え、最初の信号から所定時間内の次の信号は無視する等の制御を行うとよい。
【００３０】
押圧スイッチ１４の具体的構造は、図５に示すように、中央接点１６、周辺接点１７及びクリックバネ１８を主に有している。この中央接点１６は、回路基板３上に形成されており、電気回路に電通されている。周辺接点１７は、中央接点１６から離間して略同一円周軌道上に形成されており、電気回路に電通されている。クリックバネ１８は、導電性を有する弾性金属板からなり、略円形のドーム状（皿状）に形成されており、押圧により反転するよう構成されている。このクリックバネ１８は、その外縁部が周辺接点１７上に乗るよう配設されている。かかる構造の押圧スイッチ１４は、クリックバネ１８の中央を押圧するとクリックバネ１８が反転してクリック感覚を生じると同時にクリックバネ１８の中央下面が中央接点１６に当接し、中央接点１６と周辺接点１７がクリックバネ１８を介して導通状態（オン）となる。一方、クリックバネ１８への押圧を解除すると、クリック感覚を生じながらクリックバネ１８は元の形状に自動復帰し、中央接点１６と周辺接点１７間は非導通状態（オフ）となる。かかる構造の押圧スイッチ１４を用いることで、ＬＥＤカバー４を軽くタッチすることでスイッチングが可能になり、かつスイッチングにクリック感覚が付与され、その結果、スイッチ操作性がさらに促進される。
【００３１】
押圧スイッチ１４のクリックバネ１８は、その中央部に部分球面状の凹部１９を有している。一方、後述するＬＥＤカバー４のフランジ部２３は、その裏面のうちクリックバネ１８の凹部１９に合致する位置に凸部２４を有している。このようにクリックバネ１８の中央部に凹部１９を有し、ＬＥＤカバー４のフランジ部２３裏面に凹部１９と嵌合する凸部２４を有することで、ＬＥＤカバー４の押圧によるスイッチングがさらに簡易かつ確実になり、加えてクリックバネ１８の裏面側に形成される凸部によって中央接点との良好な接触状態が確保される結果、スイッチング操作性がさらに促進される。
【００３２】
一方、回路基板３の裏面側には、電池２の一方の電極（マイナス）と接触する電池接点が設けられている。さらに、回路基板３には、その側方から下方に延出して電池２の他方の電極（プラス）に接触する電池接触片２１が設けられている。この電池接点及び電池接触片２１は、電気回路に電通されている。
【００３３】
ＬＥＤカバー４は、ＬＥＤ１２を覆う透明な半球状のドーム部２２と、そのドーム部２２の底部開口から外側に延出する円環状のフランジ部２３とを有している。このＬＥＤカバー４は、そのフランジ部２３がケーシング１内の回路基板３上に配設され、そのドーム部２２がケーシング１の開口６から突出するよう収納されている。また、ＬＥＤカバー４のドーム部２２は、その先端部にＬＥＤ１２から発せられる光線を集光するための凸レンズ部２５が一体成形されている。さらに、上述のようにＬＥＤカバー４のフランジ部２３は、その裏面のうちクリックバネ１８の凹部１９に合致する位置に凸部２４が一体成形されている。なお、ＬＥＤカバー４のフランジ部２３の外縁部には、略等角度間隔で半円状の凹部２６が形成されており、ケーシング１（ケーシング本体１ａ）の内面に略等角度間隔で形成される凸部（図示しない）と嵌合し、ケーシング１内でＬＥＤカバー４が回転しないよう構成されている。
【００３４】
ＬＥＤカバー４の形成材料としては、透明なガラス又は合成樹脂が用いられ、軽量化の観点からは合成樹脂が好ましい。ＬＥＤカバー４の形成材料として用いられる合成樹脂としては、例えばアクリル樹脂、アクリロニトリル樹脂、ポリウレタン、ポリ塩化ビニル、ポリスチレン、ポリアクリロニトリル、ポリアミド等が挙げられ、中でも透明性が高いアクリル樹脂が好ましく、ポリメチルメタクリレート（ＰＭＭＡ）が特に好ましい。
【００３５】
外套カバー５は、防水部２７と一対の取付片２８とからなり、エラストマー材料で一体成形されている。この防水部２７は、表面中央部に円形の開口２９を有する扁平な有底円筒体であり、ドーム部２２の突出部分を除いたケーシング１の外面を気密に覆うよう構成されている。一対の取付片２８は、対称なリング状に形成されており、防水部２７の底部から左右両側に延出している。
【００３６】
外套カバー５を形成するエラストマー材料としては、ゴム又は熱可塑性エラストマーが用いられる。このゴムとしては、例えば天然ゴム、ポリイソプレン、ポリブタジエン、スチレン−ブタジエン共重合体、アクリロニトリル−ブタジエン共重合体、エチレン−プロピレン−ジエン共重合体、エチレン−プロピレン共重合体、ポリクロロプレン、イソブチレン−イソプレン共重合体、シリコーンゴム等が用いられる。また、熱可塑性エラストマーとしては、例えばスチレン系熱可塑性エラストマー、オレフィン系熱可塑性エラストマー、エステル系熱可塑性エラストマー、ウレタン系熱可塑性エラストマー、アミド系熱可塑性エラストマー、フッ素系熱可塑性エラストマー等が用いられる。中でも、外套カバー５を形成するエラストマー材料としては、シリコーンゴム（シリコーン樹脂を含む）が好ましい。かかるシリコーンゴムはシーリング性能、耐熱性、耐候性等が良好であることから、このように外套カバー５の形成材料としてシリコーンゴムを用いることで、当該小型ライトの防水性が向上し、加えて耐候性、耐熱性等も促進される。
【００３７】
また、外套カバー５の防水部２７の底部３０は、その他の部分（例えば側壁、前壁等）より厚く形成されている。このように防水部２７の底部を他の部分より厚く形成することで、当該小型ライトをハンドル等に取り付ける際に一対の取付片２８を引っ張っても、防水部２７が湾曲して防水性が低下することを防止することができる。この防水部２７の底部３０の平均厚さは、その他の部分の平均厚さの２倍〜４倍程度が好ましい。この程度の厚さの差を設けることで、上述の防水部２７の湾曲による防水性の低下を効果的に防止することができる。
【００３８】
上記構成要素を備える当該小型ライトは、ケーシング本体１ａの底部開口からＬＥＤカバー４、回路基板３、２個の電池２及び弾性体１１をこの順に挿入し、ケーシング本体１ａの底部開口にケーシング蓋部１ｂを嵌め込み、弾性を有する外套カバー５の防水部２７にその開口２９からケーシング１を嵌入することで、図２に示すような完成体となる。
【００３９】
なお、当該小型ライトは、対象箇所への装着のために、上記外套カバー５の一対の取付片２８に加えて係合片３１を備えている。この係合片３１は、断面がＳ字形状に湾曲した板状体であり、両湾曲部に一対の取付片２８が掛けられるよう構成されている。また、係合片３１の形成材料としては、特に限定されず、例えばポリアミド等の合成樹脂が好ましい。
【００４０】
当該小型ライトは、一対の押圧スイッチ１４がＬＥＤカバー４のフランジ部２３（特にフランジ部２３裏面の凸部２４）に当接するよう回路基板３の外周部に搭載されていることから、正面に突出しているＬＥＤカバー４をケーシング１の軸方向に押圧することで点滅状態の切り替えができ、非常に高いスイッチ操作性を有している。特に、自転車等の二輪車のハンドルや杖等に照明用として取り付けている場合、従来の携帯用ライトのようにボディの側面にあるスイッチをスライド等させる必要はなく、正面のＬＥＤカバー４を手でた叩くことで点滅状態の切り替えが可能になり、スイッチの操作が非常に簡易かつ確実になる。
【００４１】
また、当該小型ライトは、上述のようにスイッチをＬＥＤカバー４で代用し、従来の携帯用ライトのような個別のスイッチを省略したことや、コイン型電池等の扁平形状の電池２を採用したこと、及びケーシング１から突出させたＬＥＤカバー４にＬＥＤ１２を収納するよう構成したことから、照明装置である本体部分が非常にコンパクトになり、全体として小型軽量化及び携帯性が格段に向上する。
【００４２】
さらに、当該小型ライトは、エラストマー材料製の外套カバー５の防水部２７によってドーム部２２の突出部分を除いたケーシング１の外面を覆うことから、従来の携帯用ライトのようにケーシングの繋ぎ目やスイッチ部分に対してＯリング等により個別に防水措置を施す必要がなく、防水性を格段に高めることができる。
【００４３】
また、当該小型ライトは、図３に示すように、柔軟性及び伸縮性を有する外套カバー５の一対の取付片２８を引っ張って装着対象Ｘに捲回し、係合片３１に掛合させることで、容易かつ確実に装着対象Ｘに装着することができる。そのため、当該小型ライトは、二輪車のハンドル、杖、指・腕等の身体などの径及び形状の異なる種々の箇所に容易かつ確実に装着することができる。
【００４４】
なお、本発明の小型ライトは上記実施形態に限定されるものではない。例えば電池の個数は、上記２個に限定されず、１個又は３個以上でも可能である。また、ケーシングにおけるケーシング本体とケーシング蓋部との結合手段は、上記凹凸嵌合構造に限定されず、例えば螺合等の手段でもよい。ＬＥＤは、回路基板上に複数配設されてもよい。押圧スイッチの構造は、押圧によりスイッチングが可能なものであれば特に限定されず、例えば弾発バネを用いたもの等が適宜採用される。また、押圧スイッチの個数は、上記２個に限定されるものではなく、１個又は３個以上でも可能である。３個以上の押圧スイッチを回路基板の外周部に略等角度間隔に配設することで、スイッチングの容易性及び確実性がさらに向上する。
【産業上の利用可能性】
【００４５】
以上のように、本発明の小型ライトは、携帯用の照明装置として有用であり、特に自転車等の照明装置として用いるのに適している。
【図面の簡単な説明】
【００４６】
【図１】本発明の一実施形態に係る小型ライトを示す分解斜視図
【図２】図１の小型ライトの組み立てた状態を示す斜視図
【図３】図１の小型ライトを円柱に取り付けた状態を示す斜視図
【図４】図１の小型ライトの回路基板を示す平面図
【図５】図１の小型ライトの回路基板及びＬＥＤカバー部分の中央縦断面図
【符号の説明】
【００４７】
１  ケーシング
１ａ  ケーシング本体
１ｂ  ケーシング蓋部
２  電池
３  回路基板
４  ＬＥＤカバー
５  外套カバー
６  開口
７  表壁
８  溝部
９  凸条部
１０  切り欠き部
１１  弾性体
１２  ＬＥＤ
１３  制御部
１４  押圧スイッチ
１５  支架
１６  中央接点
１７  周辺接点
１８  クリックバネ
１９  凹部
２０  凹部
２１  電池接触片
２２  ドーム部
２３  フランジ部
２４  凸部
２５  凸レンズ部
２６  凹部
２７  防水部
２８  取付片
２９  開口
３０  底部
３１  係合片
Ｘ  装着対象
【図１】
0004996533.tif 000002
【図２】
0004996533.tif 000003
【図３】
0004996533.tif 000004
【図４】
0004996533.tif 000005
【図５】
0004996533.tif 000006